(57)【特許請求の範囲】
【請求項１】
（Ａ）キノンメチドもしくはその誘導体の１個以上、
（Ｂ）ニトロオキシド化合物の１個以上
を有する、スチレンをはじめとする芳香族ビニルモノマーの重合を制御及び阻害する、改善されたアミン系添加剤組成物であって、前記組成物は：
（Ｃ）脂肪族第３アミンの１個以上、もしくはそれらの混合物
をさらに有することを特徴とし、
前記脂肪族第３アミンは、第３アミンのアルキル鎖中に１個以上ヒドロキシル基を含有し；
前記組成物は、以下のアミン類：
ｉ）トリエタノールアミン（ＴＥＡ）;
ｉｉ）トリス［Ｎ−ブチルアミン］（ＴＢＡ）;
ｉｉｉ）モノエタノールアミン（ＭＥＡ）;
ｉｖ）ジブチルアミン（ＤＢＡ）；
ｖ）ジエタノールアミン（ＤＥＡ）；
ｖｉ）ジプロピルアミン（ＤＰＡ）；
ｖｉｉ）エチレンジアミン（ＥＤＡ）； 
ｖｉｉｉ）テトラエチレンペンタアミン（ＴＥＰＡ）、又は
ｉｘ）これらの混合物；
の１個以上を有しない、組成物。
【請求項２】
前記脂肪族第３アミンは、第３アミンのアルキル鎖中に３乃至４個のヒドロキシル基を有する、請求項１に記載の組成物。
【請求項３】
前記脂肪族第３アミンは、トリイソプロパノールアミンもしくはトリス（２−ヒドロキシプロピル）アミン（ＴＩＰＡ）である、請求項１又は２に記載の組成物。
【請求項４】
前記脂肪族第３アミンは、Ｎ，Ｎ，Ｎ’，Ｎ’−テトラキス（２−ヒドロキシエチル）エチレン−ジアミン（ＴＨＥＥＤ）である、請求項１又は２に記載の組成物。
【請求項５】
前記脂肪族第３アミンは、Ｎ，Ｎ，Ｎ’，Ｎ’−テトラキス（２−ヒドロキシプロピル）エチレン−ジアミン（Ｑｕａｄｒｏｌ（登録商標））である、請求項１又は２に記載の組成物。
【請求項６】
前記脂肪族第３アミンは、ＴＩＰＡ，ＴＨＥＥＤ及びＱｕａｄｒｏｌ（登録商標）の１個以上を有する、請求項１乃至５のいずれか一項に記載の組成物。
【請求項７】
（Ａ）キノンメチドもしくはその誘導体の１個以上、
（Ｂ）ニトロオキシド化合物の１個以上
を有する、スチレンをはじめとする芳香族ビニルモノマーの重合を制御及び阻害する、改善されたアミン系添加剤組成物であって、前記組成物は：
（Ｃ）第３アミンの１個以上
であって、
ｉ）トリス（２−ヒドロキシプロピル）アミン（ＴＩＰＡ）であるヒドロキシアルキル第３アミン；
ｉｉ）Ｎ，Ｎ，Ｎ’，Ｎ’−テトラキス（２−ヒドロキシプロピル）エチレン−ジアミン（Ｑｕａｄｒｏｌ（登録商標））である酸化プロピレン処理アミン；及び
ｉｉｉ）Ｎ，Ｎ，Ｎ’，Ｎ’−テトラキス（２−ヒドロキシエチル）エチレン−ジアミン（ＴＨＥＥＤ）である酸化エチレン処理アミン；もしくは
ｉｖ）これらの混合物
からなるグループから選択される前記第３アミン
をさらに有することを特徴とする、組成物。
【請求項８】
前記組成物は：
ａ）前記キノンメチドもしくはその誘導体の１個以上と前記ニトロオキシド化合物の１個以上との混合物Ｉ）  ４０乃至９９．９重量％；及び
ｂ）前記第３アミンもしくはその混合物の１個以上ＩＩ）  ０．１乃至６０重量％
を有する、請求項１乃至７のいずれか一項に記載の組成物。
【請求項９】
前記キノンメチドもしくはその誘導体（ＱＭ）は、ベンジルキノンメチドを包含する、請求項１乃至８のいずれか一項に記載の組成物。
【請求項１０】
前記キノンメチドは４−ベンジリデン２，６−ジ−ｔｅｒｔ−ブチルシクロヘキサ−２，５−ジエノンである、請求項９に記載の組成物。
【請求項１１】
前記ニトロオキシド化合物は、１−オキシル−２，２，６，６−テトラメチルピペリジン―４−オール（４ＨＴ）を包含する、請求項１乃至１０のいずれか一項に記載の組成物。
【請求項１２】
前記ＱＭと４ＨＴとの混合物は、前記混合物の重量に基づき、ＱＭを０．５乃至９９．５重量％の量で、４ＨＴを９９．５乃至０．５重量％の量で有する、請求項１乃至１１のいずれか一項に記載の組成物。
【請求項１３】
前記ＱＭと４ＨＴとの混合物は、ＱＭと４ＨＴとを９９．５：０．５乃至０．５：９９．５、９５：５乃至５：９５、及び９０：１０乃至１０：９０を有するグループから選択される重量比で有する、請求項１乃至１２のいずれか一項に記載の組成物。
【請求項１４】
前記第３アミンもしくはその混合物は、組成物の重量に基づき０．０１乃至６０重量％の量で使用される、請求項１乃至１３のいずれか一項に記載の組成物。
【請求項１５】
前記組成物はスチレンをはじめとする芳香族ビニルモノマーを含有する流れに、スチレンをはじめとするモノマーの流れの重量に基づき０．０１ｐｐｍ乃至２０００ｐｐｍ、及び１ｐｐｍ乃至２０００ｐｐｍを有するグループから選択される量で添加される、請求項１乃至１４のいずれか一項に記載の組成物。
【請求項１６】
スチレンをはじめとする芳香族ビニルモノマーの重合を制御及び阻害するため、請求項１乃至１５のいずれか一項に記載の前記アミン系添加剤組成物を使用する方法であって、
スチレンをはじめとする芳香族ビニルモノマーを有する流れを
（Ａ）前記キノンメチドもしくはその誘導体の１個以上、
（Ｂ）前記ニトロオキシド化合物の１個以上
を有する、前記添加剤組成物で処理し、
前記組成物は：
（Ｃ）前記脂肪族第３アミンの１個以上、もしくはそれらの混合物
をさらに有することを特徴とし、
前記脂肪族第３アミンは、第３アミンのアルキル鎖中に１個以上ヒドロキシル基を含有する、方法。
【請求項１７】
スチレンをはじめとする芳香族ビニルモノマーを有する前記流れを、モノマーの重量に基づき、０．０１ｐｐｍ乃至２０００ｐｐｍ、及び１ｐｐｍ乃至２０００ｐｐｍを有するグループから選択される前記添加剤組成物の量で処理する、請求項１６に記載の方法。
【請求項１８】
前記キノンメチドもしくはその誘導体、前記ニトロオキシド化合物、及び脂肪族第３アミンは、個別にもしくは混合後のいずれかで、モノマー流に添加される、請求項１６又は１７に記載の方法。
【請求項１９】
請求項１乃至１５のいずれか一項に記載の前記アミン系添加剤組成物を、スチレンをはじめとする芳香族ビニルモノマーを有する流れに添加することによる、スチレンをはじめとする芳香族ビニルモノマーの重合を制御及び阻害する方法であって、添加剤組成物は：
（Ａ）前記キノンメチドもしくはその誘導体の１個以上、
（Ｂ）前記ニトロオキシド化合物の１個以上
を含み、及び
前記組成物は：
（Ｃ）前記脂肪族第３アミンの１個以上、もしくはそれらの混合物
をさらに有することを特徴とし、
前記脂肪族第３アミンは、第３アミンのアルキル鎖中に１個以上ヒドロキシル基を含有する、方法。
【請求項２０】
前記添加剤組成物はスチレンをはじめとする芳香族ビニルモノマー流に、モノマーの重量に基づき０．０１ｐｐｍ乃至２０００ｐｐｍ、及び１ｐｐｍ乃至２０００ｐｐｍを有するグループから選択される量で添加される、請求項１９に記載の方法。
【請求項２１】
前記キノンメチドもしくはその誘導体、前記ニトロオキシド化合物、及び脂肪族第３アミンは、個別にもしくは混合後のいずれかで、モノマー流に添加される、請求項１９又は２０に記載の方法。
【請求項２２】
前記組成物は、温度５０℃乃至１８０℃の範囲で使用される、請求項１６乃至２１のいずれか一項に記載の方法。
【請求項２３】
スチレンをはじめとする芳香族ビニルモノマーの重合を制御及び阻害するため、請求項１乃至１５のいずれか一項に記載の添加剤組成物を製造する方法であって、当該方法は
（Ａ）前記キノンメチドもしくはその誘導体の１個以上、及び
（Ｂ）前記ニトロオキシド化合物の１個以上
を混合するステップを有し、及び
前記キノンメチドもしくはその誘導体及び前記ニトロオキシド化合物もしくはそれらの混合物は、
（Ｃ）前記第３アミンの１個以上
とさらに混合されることを特徴とし、
前記脂肪族第３アミンは、第３アミンのアルキル鎖中に１個以上ヒドロキシル基を含有する、方法。
【請求項２４】
（Ａ）スチレンをはじめとする芳香族ビニルモノマーと、
（Ｂ）
（ｂ１）キノンメチドもしくはその誘導体の１個以上、
（ｂ２）ニトロオキシド化合物の１個以上、
を有する添加剤組成物であって、前記組成物（Ｂ）は：
（ｂ３）脂肪族第３アミンの１個以上、もしくはそれらの混合物、
をさらに有することを特徴とし、
前記脂肪族第３アミンは、第３アミンのアルキル鎖中に１個以上ヒドロキシル基を含有し；
前記組成物は、以下のアミン類：
ｉ）トリエタノールアミン（ＴＥＡ）;
ｉｉ）トリス［Ｎ−ブチルアミン］（ＴＢＡ）;
ｉｉｉ）モノエタノールアミン（ＭＥＡ）;
ｉｖ）ジブチルアミン（ＤＢＡ）；
ｖ）ジエタノールアミン（ＤＥＡ）；
ｖｉ）ジプロピルアミン（ＤＰＡ）；
ｖｉｉ）エチレンジアミン（ＥＤＡ）； 
ｖｉｉｉ）テトラエチレンペンタアミン（ＴＥＰＡ）、又は
ｉｘ）これらの混合物；
の１個以上を有しない、添加剤組成物と、
を有する組成物。
【発明の詳細な説明】
【技術分野】
【０００１】
本発明の分野：
本発明は、芳香族ビニルモノマーの重合を制御及び阻害する改善された添加剤組成物に関する。当該組成物において、芳香族ビニルモノマーはスチレンを包含し、その改善は１個以上の第３アミンと、１個以上の芳香族化合物と１個以上のニトロオキシド（即ちニトロキシル）化合物との混合物との組成物を含む。
【０００２】
一実施形態において、本発明は、スチレンをはじめとする芳香族ビニルモノマーの重合を制御及び阻害する改善されたアミン系添加剤組成物の使用に関する。その改善は、１個以上の第３アミンと、１個以上の芳香族化合物と１個以上のニトロオキシド（即ちニトロキシル）化合物との混合物とを有する組成物を含む。
【０００３】
別の実施形態において、本発明はスチレンをはじめとする芳香族ビニルモノマーの重合を制御及び阻害する本発明の改善された添加剤組成物を製造する方法に関する。その改善は、１個以上の第３アミンと、１個以上の芳香族化合物と１個以上のニトロオキシド（即ちニトロキシル）化合物との混合物とを有する組成物の製造を含む。
【０００４】
さらに別の実施形態において、本発明は、本発明の改善された添加剤組成物を利用することにより、スチレンをはじめとする芳香族ビニルモノマーの重合を制御及び阻害する方法に関する。その改善は、芳香族ビニルモノマーを含有する流れを、１個以上の第３アミンと、１個以上の芳香族化合物と１個以上のニトロオキシド（即ちニトロキシル）化合物との混合物とを有する組成物で処理することを含む。
【背景技術】
【０００５】
本発明の背景：
処理中のスチレンをはじめとする芳香族ビニルモノマーの重合は、関心事項である。なぜならば芳香族ビニルモノマーの重合は望まないポリマーの形成を引き起こし、最終生成物の歩留まりの損失をもたらし、プロセスを非効率にするからである。
【０００６】
当該技術において、スチレンの重合の問題を克服するため、阻害剤及び遅延剤の使用、並びにそれらの組み合わせの使用が報告されている。
【０００７】
阻害剤を単独で使用する問題は、これら阻害剤は継続的にもしくは一定間隔で添加しなければならないということである。なぜならばいったん阻害剤が消費されると、重合が再び開始するからである。
【０００８】
遅延剤を単独で使用する問題は、これら遅延剤はスチレンの重合を実質的な阻害のレベルまでもしくは阻害の許容可能なレベルまで減らすのにあまり有効でないことである。
【０００９】
先行技術は、スチレン重合阻害剤としてキノンメチドと４ＨＴ（４ヒドロキＴＥＭＰＯ  ２，２，６，６−テトラメチル―１−オキシド）とを有するキノンメチド系組成物を提案する。しかしながら、（実施例及び対応するデータに関して）発明者は、キノンメチド（ＱＭ）と４ＨＴとのこの公知の組成物はの主要な問題は、組成物のより高い量によっても重合の問題が許容可能なレベルまで解決されないことであるということを見出した。
【００１０】
従って、当該産業は、芳香族及びニトロオキシド化合物の量を減らせるもしくは最小化できる添加剤組成物を狙っており、それにより得られる組成物は経済的であるばかりでなく、人間にとって安全でもある。
【００１１】
芳香族化合物及び／又はニトロオキシド化合物の消費を下げるもしくは最小化するためのいずれの努力も、当該産業の問題を緩和することになる。
【発明の概要】
【発明が解決しようとする課題】
【００１２】
発明の必要性：
したがって、効果的な添加剤組成物及びそれの使用及び製造方法、及び前記組成物を利用することにより芳香族ビニルモノマーの重合を制御及び阻害する方法の必要性が依然として存在する。ここで、前記添加剤組成物は、スチレンをはじめとする芳香族ビニルモノマーの重合の実質的制御及び阻害に適しているだけではなく、芳香族及びニトロオキシド化合物の実質的に低下したもしくは最小化した量を有する。
【００１３】
本発明により解決すべき課題：
従って、本発明は、効果的な添加剤組成物及びそれを使用及び製造する方法、並びにスチレンをはじめとする芳香族ビニルモノマーの重合を制御及び阻害する方法を提供することにより、上に記載した既存の産業上の問題に対する解決策を提供することを目指している。ここで前記添加剤組成物は、スチレンをはじめとする芳香族ビニルモノマーの重合の実質的制御及び阻害に適しているだけではなく、芳香族及びニトロオキシド化合物の実質的に低下したもしくは最小化した量を有する。
【課題を解決するための手段】
【００１４】
本発明の目的：
従って、本発明の主たる目的は、効果的且つ改善されたアミン系添加剤組成物及びその使用及び製造方法、並びに芳香族ビニルモノマーの重合を制御及び阻害する方法を提供することである。ここで前記添加剤組成物は、スチレンをはじめとする芳香族ビニルモノマーの重合の実質的制御及び阻害に適しているだけではなく、芳香族及びニトロオキシド化合物の実質的に低下したもしくは最小化した量を有する。
【００１５】
本発明の別の主目的は、効果的且つ改善されたアミン系添加剤組成物及びその使用及び製造方法、並びに芳香族ビニルモノマーの重合を制御及び阻害する方法を提供することである。ここでの添加剤組成物は、芳香族及びニトロオキシド化合物の実質的に低下したもしくは最小化した量を有し、なおかつスチレンをはじめとする芳香族ビニルモノマーの重合の実質的制御及び阻害に適しており、及びなおかつスチレン重合の制御及び阻害について同等以上の許容可能なレベルを達成するため、芳香族及びニトロオキシド化合物の組み合わせの添加量と比べて比較的低い添加量を必要とする。
【００１６】
これも本発明の一目的であるが、それは効果的且つ改善されたアミン系添加剤組成物及びその使用及び製造方法、並びに芳香族ビニルモノマーの重合を制御及び阻害する方法を提供することである。ここでの添加剤組成物は、アミン１個以上と、芳香族の１個以上とニトロオキシド化合物の１個以上との低下したもしくは最小化した量とを有し、なおかつスチレンをはじめとする芳香族ビニルモノマーの重合の実質的制御及び阻害に適しており、及びなおかつスチレン重合の制御及び阻害について同等以上の許容可能なレベルを達成するため、芳香族とニトロオキシド化合物との組み合わせの添加量と比べて比較的低い添加量を必要とする。ここでのアミンは第３アミン１個以上である。
【００１７】
本発明は特に、効果的且つ改善されたアミン系添加剤組成物及びその使用及び製造方法、並びに芳香族ビニルモノマーの重合を制御及び阻害する方法を提供することを目指す。ここで、前記添加剤組成物は、アミン１個以上、及びキノンメチド（ＱＭ）をはじめとする芳香族化合物１個以上と１−オキシル−２，２，６，６−テトラメチルピペリジン―４−オール（即ち４ヒドロキＴＥＭＰＯもしくは４ＨＴ）をはじめとするニトロオキシド（即ちニトロキシル）化合物１個以上との低下したもしくは最小化した量を有し、及びスチレンをはじめとする芳香族ビニルモノマーの重合の実質的な制御及び阻害に依然として好適であり、及びスチレンの重合の制御及び阻害について同等以上の許容可能なレベルを達成するため、芳香族とニトロオキシド化合物との組み合わせの添加量と比べて比較的低い添加量で依然として必要とされる。ここで、前記アミンは、第３アミン１個以上であり、及びしたがって本発明の組成物は経済的であるだけでなく、環境にも優しい。
【００１８】
本発明は、芳香族化合物とニトロオキシド化合物との混合物を有する添加剤組成物の性能を改善することを目指す。ここで、本組成物は芳香族化合物１個以上とニトロオキシド化合物１個以上とを有し、及び第３アミンの１個以上をさらに有する。
【００１９】
本発明はまた、高温を包含するより広い温度範囲において芳香族化合物とニトロオキシド化合物との混合物を有する添加剤組成物の性能を改善することを目指す。ここで、本組成物は芳香族化合物１個以上とニトロオキシド化合物１個以上とを有し、及び第３アミンの１個以上をさらに有する。
【００２０】
本発明はまた、高温を包含するより広い温度範囲において及び空気の存在下、芳香族化合物とニトロオキシド化合物との混合物を有する添加剤組成物の性能を改善することを目指す。ここで、本組成物は芳香族化合物１個以上とニトロオキシド化合物１個以上とを有し、及び第３アミンの１個以上をさらに有する。
【００２１】
本発明の他の目的及び利点は、本発明の範囲を限定することを意図しない実施例と合わせて読むならば、以下の記載からより明らかになるであろう。
【発明を実施するための形態】
【００２２】
本発明の説明及び好ましい実施形態：
先行技術の上記の問題を克服すること、及び本発明の上記の課題を達成することを目指して、本発明者は、第３アミンの１個以上を芳香族化合物の１個以上とニトロオキシド化合物の１個以上とを有する組成物に添加すると、芳香族化合物とニトロオキシド化合物とを有する組成物の重合制御及び阻害効率が実質的に向上するだけでなく、スチレンをはじめとする芳香族ビニルモノマーの重合が、驚くべきこと且つ意外にも、第３アミンの１個以上、及び芳香族化合物の１個以上とニトロオキシド化合物の１個以上とを有する組成物において、芳香族及びニトロオキシド化合物の実質的に低下した及び最小化した添加量により、許容可能なレベルまで制御及び阻害されることを見出した。このことは本発明組成物を経済的なものにするとともに環境に優しいものにする。
【００２３】
先行技術の上記の問題を克服すること、及び本発明の上記の課題を達成することを目指して、本発明者は、ヒドロキシアルキル第３アミン及び酸化物処理アミンからなるグループから選択される第３アミンの１個以上（好ましくは１個以上のヒドロキシル基を含有する脂肪族第３アミン）を、芳香族化合物の１個以上（好ましくはキノンメチド（ＱＭ））とニトロオキシド化合物の１個以上とを有する組成物に添加すると、芳香族化合物とニトロオキシド化合物とを有する組成物の重合制御及び阻害効率が実質的に向上するだけでなく、スチレンをはじめとする芳香族ビニルモノマーの重合が、驚くべきこと且つ意外にも、芳香族化合物の１個以上とニトロオキシド化合物の１個以上とを有する、及びヒドロキシアルキル第３アミン及び酸化物処理アミンからなるグループから選択される第３アミンの１個以上（好ましくは１個以上のヒドロキシル基を含有する脂肪族第３アミン）をさらに有する組成物において、芳香族及びニトロオキシド化合物の実質的に低下した及び最小化した添加量により、許容可能なレベルまで制御及び阻害されることを見出した。このことは本発明組成物を経済的なものにするとともに環境に優しいものにする。
【００２４】
従って、本発明は、
（Ａ）キノンメチドもしくはその誘導体の１個以上、
（Ｂ）ニトロオキシド（即ちニトロキシル）化合物の１個以上
を有する、スチレンをはじめとする芳香族ビニルモノマーの重合を制御及び阻害する、改善されたアミン系添加剤組成物に関するものであり、前記組成物は：
（Ｃ）脂肪族第３アミンもしくはそれらの混合物の１個以上
をさらに有することを特徴とする。
【００２５】
本発明によると、脂肪族アミンは脂肪族第３アミンであり、当該脂肪族第３アミンは第３アミンのアルキル鎖中に１個以上のヒドロキシル基を含み、好ましくは第３アミンのアルキル鎖中に３乃至４個のヒドロキシル基を含む。
【００２６】
本発明によると、脂肪族アミンは、１個以上のヒドロキシル基を含む、好ましくは第３アミンのアルキル鎖内に１個以上のヒドロキシル基を含む脂肪族第３アミンであり、より好ましくは、前記芳香族第３アミンは、第３アミンのアルキル鎖内に３乃至４個のヒドロキシル基を含む。
【００２７】
本発明によると、１個以上のヒドロキシル基を含む脂肪族第３アミンにおいて、ヒドロキシル基はヒドロキシアルキル基である。
【００２８】
本発明によると、脂肪族第３アミン内の炭化水素は、直鎖でも分岐でも環状でもよい。
【００２９】
本発明によると、脂肪族第３アミン内の炭化水素は、１個以上のヒドロキシル基を含んでよい。
【００３０】
本発明の最も好ましい実施形態によると、３個のヒドロキシル基を含む脂肪族第３アミンは、トリイソプロパノールアミンもしくはトリス（２−ヒドロキシプロピル）アミン（ＴＩＰＡ）である。
【００３１】
本発明の好ましい実施形態の一つによると、ヒドロキシル基を含む脂肪族第３アミンは、Ｎ，Ｎ，Ｎ’，Ｎ’−テトラキス（２−ヒドロキシエチル）エチレンジアミン））（ＴＨＥＥＤ）である。
【００３２】
本発明のもう一つの好ましい実施形態によると、ヒドロキシル基を含む脂肪族第３アミンは、Ｎ，Ｎ，Ｎ’，Ｎ’−テトラキス（２−ヒドロキシプロピル）エチレンジアミン）（Ｑｕａｄｒｏｌ（登録商標））である。
【００３３】
本発明のもう一つの好ましい実施形態によると、本発明の組成物は、ヒドロキシル基を含む上記脂肪族第３アミンもしくはその混合物を有し得る。
【００３４】
従って、一実施形態において、本発明は、
（Ａ）キノンメチドもしくはその誘導体の１個以上、
（Ｂ）ニトロオキシド（即ちニトロキシル）化合物の１個以上
を有する、スチレンをはじめとする芳香族ビニルモノマーの重合を制御及び阻害する、改善されたアミン系添加剤組成物であって、前記組成物は：
（Ｃ）第３アミンの１個以上
であって、
ｉ）トリス（２−ヒドロキシプロピル）アミン（ＴＩＰＡ）であるヒドロキシアルキル第３アミン；
ｉｉ）Ｎ，Ｎ，Ｎ’，Ｎ’−テトラキス（２−ヒドロキシプロピル）エチレン−ジアミン）（Ｑｕａｄｒｏｌ（登録商標））である酸化プロピレン処理アミン；及び
ｉｉｉ）Ｎ，Ｎ，Ｎ’，Ｎ’−テトラキス（２−ヒドロキシエチル）エチレン−ジアミン）（ＴＨＥＥＤ）である酸化エチレン処理アミン；もしくは
ｉｖ）これらの混合物
からなるグループから選択される前記第３アミン
をさらに有することを特徴とする、組成物に関わる。
【００３５】
本発明者は、本発明の組成物が、前記第３アミンの１個以上を有する場合、スチレンをはじめとする芳香族ビニルモノマーの重合を制御及び阻害する芳香族とニトロオキシド化合物の効率が、驚くべきこと且つ意外にも、許容可能なレベルまで実質的に改善されること、芳香族及びニトロオキシド化合物の実質的に低下した及び最小化した添加量においてもそれは同様であることを見出した。このことは本発明組成物を経済的なものにするとともに環境に優しいものにする。
【００３６】
本発明の実施形態の一つによると、本発明の組成物は：
ａ）前記キノンメチドもしくはその誘導体の１個以上（以降ＱＭと称し得る）と前記ニトロオキシド（即ちニトロキシル）化合物の１個以上との混合物Ｉ）  約４０乃至約９９．９重量％；及び
ｂ）前記第３アミンもしくはその混合物の１個以上ＩＩ）  約０．１乃至約６０重量％
を有する
【００３７】
本発明の実施形態の一つによると、前記キノンメチドもしくはその誘導体はベンジルキノンメチド、好ましくは４−ベンジリデン−２，６−ジ−ｔｅｒｔ−ブチルシクロヘキサ−２，５ジエノンを包含する。
【００３８】
「前記キノンメチドもしくはその誘導体」は、以降ＱＭと称し得ることに留意する。
【００３９】
本発明の実施形態の一つによると、前記ニトロオキシド（即ちニトロキシル）化合物は１−オキシル−２，２，６，６−テトラメチルピペリジン−４−オールもしくは４−ヒドロキシ−２，２，６，６−テトラメチルピペリジン−１−オキシル（即ち４−ヒドロキシＴｅｍｐｏもしくは４ＨＴ）を包含する。
【００４０】
１−オキシル−２，２，６，６−テトラメチルピペリジン−４−オールもしくは４−ヒドロキシ−２，２，６，６−テトラメチルピペリジン−１−オキシル（即ち４−ヒドロキシＴｅｍｐｏもしくは４ＨＴ）を包含する前記ニトロオキシド（即ちニトロキシル）化合物は、以降４ＨＴと称し得ることに留意する。
【００４１】
本発明の実施形態の一つによると、ＱＭと４ＨＴとの混合物において、ＱＭは約０．５乃至約９９．５重量％の量で使用され、４ＨＴは約９９．５乃至約０．５重量％の量で使用される。
【００４２】
本発明の実施形態において、ＱＭと４ＨＴとの混合物は、ＱＭと４ＨＴとを約９９．５：０．５乃至０．５：９９．５、好ましくは約９５：５乃至５：９５、より好ましくは約９０：１０乃至約１０：９０の重量比で有する
【００４３】
本発明の実施形態において、前記第３アミンもしくはその混合物は、組成物の重量に基づき約０．０１乃至約６０重量％の量で使用される。
【００４４】
本発明の別の好ましい実施形態によると、本組成物は：
ｉ）トリエタノールアミン（ＴＥＡ）;
ｉｉ）トリス［Ｎ−ブチルアミン］（ＴＢＡ）;
ｉｉｉ）モノエタノールアミン（ＭＥＡ）;
ｉｖ）ジブチルアミン（ＤＢＡ）；
ｖ）ジエタノールアミン（ＤＥＡ）；
ｖｉ）ジプロピルアミン（ＤＰＡ）；
ｖｉｉ）エチレンジアミン（ＥＤＡ）；及び
ｖｉｉｉ）テトラエチレンペンタアミン（ＴＥＰＡ）、及び
ｉｘ）これらの混合物
を有しない。
【００４５】
スチレンをはじめとする芳香族ビニルモノマーを含む流れは、モノマー流とも芳香族ビニルモノマー流とも呼ばれることに注意する。
【００４６】
本発明の好ましい実施形態の一つによると、本発明の組成物は、スチレンをはじめとする芳香族ビニルモノマーを含有する流れに、スチレンをはじめとするモノマーの流れの重量に基づき約０．０１ｐｐｍ乃至約２０００ｐｐｍ、好ましくは約１ｐｐｍ乃至約２０００ｐｐｍの量で添加される。
【００４７】
従って、別の実施形態において、本発明はまた、スチレンをはじめとする芳香族ビニルモノマーの重合を制御及び阻害する、本書に記載の本発明（本発明への言及は全体として描かれる）の前記改善されたアミン系添加剤組成物を使用する方法であって、当該方法においてスチレンをはじめとする芳香族ビニルモノマーを有する流れは、
（Ａ）前記キノンメチドもしくはその誘導体の１個以上、
（Ｂ）前記ニトロオキシド（即ちニトロキシル）化合物の１個以上
を有する添加剤組成物で処理され、
前記組成物は：
（Ｃ）前記脂肪族第３アミンもしくはそれらの混合物の１個以上
をさらに有することを特徴とする、方法に関する。
【００４８】
特に第２の実施形態において本発明は、スチレンをはじめとする芳香族ビニルモノマーの重合を制御及び阻害するため、本書に記載の本発明（本発明への言及は全体として描かれる）の前記添加剤組成物を使用する方法に関わる。ここで、スチレンをはじめとする芳香族ビニルモノマーを有する流れは、
（Ａ）キノンメチドもしくはその誘導体の１個以上、
（Ｂ）ニトロオキシド（即ちニトロキシル）化合物の１個以上
を有する添加剤組成物で処理され、及び前記組成物は：
（Ｃ）第３アミンの１個以上
であって、
ｉ）トリス（２−ヒドロキシプロピル）アミン（ＴＩＰＡ）であるヒドロキシアルキル第３アミン；
ｉｉ）Ｎ，Ｎ，Ｎ’，Ｎ’−テトラキス（２−ヒドロキシプロピル）エチレン−ジアミン）（Ｑｕａｄｒｏｌ（登録商標））である酸化プロピレン処理アミン；及び
ｉｉｉ）Ｎ，Ｎ，Ｎ’，Ｎ’−テトラキス（２−ヒドロキシエチル）エチレン−ジアミン）（ＴＨＥＥＤ）である酸化エチレン処理アミン；もしくは
ｉｖ）これらの混合物
からなるグループから選択される前記第３アミンをさらに有することを特徴とする。
【００４９】
スチレンをはじめとする芳香族ビニルモノマーを含む流れは、モノマー流とも芳香族ビニルモノマー流とも呼ばれることに注意する。
【００５０】
本発明の好ましい実施形態の一つによると、本発明の前記添加剤組成物を使用する方法は、スチレンをはじめとする芳香族ビニルモノマーを含む流れを、モノマーの重量に基づき、前記添加剤組成物約０．０１ｐｐｍ乃至約２０００ｐｐｍ、好ましくは約１ｐｐｍ乃至約２０００ｐｐｍで処理することを有する。
【００５１】
本発明の好ましい実施形態の一つによると、前記キノンメチドもしくはその誘導体の１個以上、前記ニトロオキシド（即ちニトロキシル）化合物の１個以上、及び前記第３アミンの１個以上は、個別にもしくは混合後のいずれかで、モノマー流に添加される。
【００５２】
本書に記載された本発明（本発明への言及は全体として描かれる）の組成物の全ての特徴は、本発明の前記添加剤組成物を使用する本方法に包含されたとみなされることに留意する。
【００５３】
従って第３の実施形態において、本発明はまた、本書に記載された本発明（本発明への言及は全体として描かれる）の前記アミン系添加剤組成物を、スチレンをはじめとする芳香族ビニルモノマーを含む流れに添加することにより、スチレンをはじめとする芳香族ビニルモノマーの重合を制御及び阻害する方法であって、添加剤組成物は：
（Ａ）前記キノンメチドもしくはその誘導体の１個以上、
（Ｂ）前記ニトロオキシド（即ちニトロキシル）化合物の１個以上
を含むこと、及び
前記組成物は：
（Ｃ）前記脂肪族第３アミンもしくはそれらの混合物の１個以上
をさらに有することを特徴とする、方法に関わる。
【００５４】
特に、第３の実施形態において、本発明は、本書に記載された本発明（本発明への言及は全体として描かれる）の前記添加剤組成物を、モノマー流に添加することによる、スチレンをはじめとする芳香族ビニルモノマーの重合を制御及び阻害する方法であって、前記組成物は：
（Ａ）キノンメチドもしくはその誘導体の１個以上、
（Ｂ）ニトロオキシド（即ちニトロキシル）化合物の１個以上
を含むこと、及び
前記組成物は：
（Ｃ）第３アミンの１個以上
であって、
ｉ）トリス（２−ヒドロキシプロピル）アミン（ＴＩＰＡ）であるヒドロキシアルキル第３アミン；
ｉｉ）Ｎ，Ｎ，Ｎ’，Ｎ’−テトラキス（２−ヒドロキシプロピル）エチレン−ジアミン）（Ｑｕａｄｒｏｌ（登録商標））である酸化プロピレン処理アミン；及び
ｉｉｉ）Ｎ，Ｎ，Ｎ’，Ｎ’−テトラキス（２−ヒドロキシエチル）エチレン−ジアミン）（ＴＨＥＥＤ）である酸化エチレン処理アミン；もしくは
ｉｖ）これらの混合物
からなるグループから選択される前記第３アミン
をさらに有することを特徴とする、方法に関わる。
【００５５】
スチレンをはじめとする芳香族ビニルモノマーを含む流れは、モノマー流とも芳香族ビニルモノマー流とも呼ばれることに注意する。
【００５６】
本発明の好ましい実施形態の一つによると、本発明の前記添加剤組成物を利用することにより、スチレンをはじめとする芳香族ビニルモノマーの重合を制御及び阻害する方法は、スチレンをはじめとする芳香族ビニルモノマー流に、モノマーの重量に基づき前記組成物の約０．０１ｐｐｍ乃至約２０００ｐｐｍ、好ましくは約１ｐｐｍ乃至約２０００ｐｐｍの量を添加するステップを有する。
【００５７】
本発明の好ましい実施形態の一つによると、前記キノンメチドもしくはその誘導体の１個以上、前記ニトロオキシド（即ちニトロキシル）化合物の１個以上、及び前記第３アミンの１個以上は、個別にもしくは混合後のいずれかで、モノマー流に添加される。
【００５８】
本書に記載された本発明（本発明への言及は全体として描かれる）の組成物の全ての特徴は、本発明の前記添加剤組成物を利用することによる、スチレンをはじめとする芳香族ビニルモノマーの重合を制御及び阻害する本方法に包含されたとみなされることに留意する。
【００５９】
本発明の実施形態の一つによると、本発明の組成物を、芳香族ビニルモノマーを含有する流れにと、前記流れが処理システム中に入る前、もしくは前記流れが処理システム中に入った後のいずれかで混合してよい。但し好ましくは、組成物は芳香族ビニルモノマーを含有する流れに、その処理が開始する前に添加されるが、それにより芳香族ビニルモノマーの重合は避けられるか、最小化される。
【００６０】
本発明の実施形態の一つによると、本組成物を、約５０℃乃至約１８０℃、好ましくは約６０℃乃至約１８０℃の温度の広範囲で使用してよい。
【００６１】
本発明の組成物は、組成物を調製するいずれの公知の方法で調製されてよい。
【００６２】
従って第４の実施形態において、本発明はまた、スチレンをはじめとする芳香族ビニルモノマーの重合を制御及び阻害するための、本書に記載の本発明（本発明への言及は全体として描かれる）の前記アミン系添加剤組成物を製造する方法に関わる。当該方法において前記芳香族化合物の１個以上、前記ニトロオキシド化合物の１個以上は、個別にもしくは混合後のいずれかで、前記アミン化合物の１個以上と混合される。
【００６３】
特に第４の実施形態において、本発明は、
（Ａ）１個以上の芳香族ニトロ化合物を混合するステップ
を有する、スチレンをはじめとする芳香族ビニルモノマーの重合を制御及び阻害するための、本書に記載の本発明（本発明への言及は全体として描かれる）の添加剤組成物を製造する方法であって、前記方法は：
（Ａ）前記キノンメチドもしくはその誘導体の１個以上、及び
（Ｂ）前記ニトロオキシド（即ちニトロキシル）化合物の１個以上
を混合するステップを有する、及び
前記キノンメチドもしくはその誘導体及び前記ニトロオキシド（即ちニトロキシル）化合物もしくはそれらの混合物は、
（Ｃ）第３アミンの１個以上
であって、
ｉ）トリス（２−ヒドロキシプロピル）アミン（ＴＩＰＡ）であるヒドロキシアルキル第３アミン；
ｉｉ）Ｎ，Ｎ，Ｎ’，Ｎ’−テトラキス（２−ヒドロキシプロピル）エチレン−ジアミン）（Ｑｕａｄｒｏｌ（登録商標））である酸化プロピレン処理アミン；及び
ｉｉｉ）Ｎ，Ｎ，Ｎ’，Ｎ’−テトラキス（２−ヒドロキシエチル）エチレン−ジアミン）（ＴＨＥＥＤ）である酸化エチレン処理アミン；もしくは
ｉｖ）これらの混合物
からなるグループから選択される前記第３アミンとさらに混合されることを特徴とする、方法に関わる。
【００６４】
本発明の実施形態の一つによると、本発明の添加剤組成物の製造方法は、第３アミンの１個以上を、キノンメチドもしくはその誘導体の１個以上とニトロオキシド（即ちニトロキシル）化合物の１個以上とを、個別にもしくは混合後のいずれかで混合するステップを有する。
【００６５】
本発明の実施形態の一つによると、製造された組成物を、約５０℃乃至約１８０℃、好ましくは約６０℃乃至約１８０℃の温度の範囲で使用してよい。
【００６６】
スチレンをはじめとする芳香族ビニルモノマーを含む流れは、モノマー流とも芳香族ビニルモノマー流とも呼ばれることに注意する。
【００６７】
本書に記載された本発明（本発明への言及は全体として描かれる）の組成物の全ての特徴は、本発明の添加剤組成物の製造方法に包含されたとみなされることに留意する。
【００６８】
実施形態の一つにおいて、本発明者は、本組成物が、Ｎ，Ｎ，Ｎ’，Ｎ’−テトラキス（２−ヒドロキシエチル）エチレン−ジアミン）（ＴＨＥＥＤ）及びＮ，Ｎ，Ｎ’，Ｎ’−テトラキス（２−ヒドロキシプロピル）エチレン−ジアミン）（Ｑｕａｄｒｏｌ（登録商標））からなるグループから選択される第３アミン類のいずれか一つを有する場合、キノンメチドもしくはその誘導体とニトロオキシド（即ちニトロキシル）化合物との混合物の、芳香族ニトロ化合物のスチレンをはじめとする芳香族ビニルモノマーの重合を制御及び阻害する効率は、実質的に改善されるが、その改善は、トリス（２−ヒドロキシプロピル）アミン（ＴＩＰＡ）を有する組成物に対するほど有意ではないということを見出した。従って、本発明の最も好ましい実施形態によると、トリス（２−ヒドロキシプロピル）アミン（ＴＩＰＡ）は最も好ましいアミンであり、及び本発明のより好ましい実施形態によると、Ｎ，Ｎ，Ｎ’，Ｎ’−テトラキス（２−ヒドロキシエチル）エチレン−ジアミン）（ＴＨＥＥＤ）及びＮ，Ｎ，Ｎ’，Ｎ’−テトラキス（２−ヒドロキシプロピル）エチレン−ジアミン）（Ｑｕａｄｒｏｌ（登録商標））は本発明のより好ましいアミン類である。
【００６９】
別の実施形態において本発明者は、本組成物が
ｉ）トリエタノールアミン（ＴＥＡ）;
ｉｉ）トリス［Ｎ−ブチルアミン］（ＴＢＡ）;
ｉｉｉ）モノエタノールアミン（ＭＥＡ）;
ｉｖ）ジブチルアミン（ＤＢＡ）；
ｖ）ジエタノールアミン（ＤＥＡ）；
ｖｉ）ジプロピルアミン（ＤＰＡ）；
ｖｉｉ）エチレンジアミン（ＥＤＡ）；及び
ｖｉｉｉ）テトラエチレンペンタアミン（ＴＥＰＡ）、及び
ｉｘ）これらの混合物
からなるグループから選択されるアミンのいずれか一つを有する場合、芳香族ニトロ化合物の、スチレンをはじめとする芳香族ビニルモノマーの重合を制御及び阻害する効率は、驚くべきこと且つ意外にも実質的に低減するということを見出した。従って一実施形態において、本組成物は、
ｉ）トリエタノールアミン（ＴＥＡ）;
ｉｉ）トリス［Ｎ−ブチルアミン］（ＴＢＡ）;
ｉｉｉ）モノエタノールアミン（ＭＥＡ）;
ｉｖ）ジブチルアミン（ＤＢＡ）；
ｖ）ジエタノールアミン（ＤＥＡ）；
ｖｉ）ジプロピルアミン（ＤＰＡ）；
ｖｉｉ）エチレンジアミン（ＥＤＡ）；及び
ｖｉｉｉ）テトラエチレンペンタアミン（ＴＥＰＡ）、及び
ｉｘ）これらの混合物
からなるグループから選択されるアミンのいずれか一つを有しない。
【００７０】
これらアミン類のいくつかは、キノンメチドもしくはその誘導体とニトロオキシド（即ちニトロキシル）化合物とを有する混合物の効率の非常に不十分な改善をもたらすが、但し前述のものは商業的に実現可能ではないということに留意する。
【００７１】
本発明のさらなる利点及び実施形態は以下の実施例からより明らかとなる。
【００７２】
ここから本発明は、以下の実施例の助けを借りて記載される。実施例は本発明の範囲を制限することを意図しているのではなく、本発明を実施するモード及び最良のモードを説明するために含まれた。
【実施例】
【００７３】
実験：
主実験：
以下の実験において、蒸留したスチレンの計量された量（もしくはｇｍｓにおける炭化水素流）及び添加剤の計量された量（スチレンもしくは炭化水素流の重量に基づくｐｐｍで）を、温度計及び窒素入口及び出口を備えた管式反応装置に取り込んだ。これらの実験において、適当な撹拌を確実にするため十分なＮ２フローを維持した。反応を１２０℃で連続窒素流下、２時間実施した。その選択された持続時間後、反応装置を砕いた氷に浸漬することにより１０℃未満に冷却した。次いで反応装置の内容物を、ビーカー内に注いだ。この同じビーカーに、約１．５乃至２ｇの冷却した重合混合物に対し、スチレン溶液内に形成したポリマーを沈殿させるため、約８０ｇのメタノールを使用した。得られた沈殿物を濾過し、メタノールを除去するため乾燥し、計量した。形成沈殿物の重さは％形成ポリマーとして報告された。
【００７４】
安定剤を除去するため使用前にスチレンは精製されたことに留意する。
【００７５】
以下の実施例において、先行技術添加剤は、芳香族化合物とニトロオキシド化合物とからなる組成物である。当該組成物において芳香族化合物はキノンメチド（ＱＭ）であり；ニトロオキシド化合物は１−オキシル−２，２，６，６−テトラメチルピペリジン−４−オール（即ち４−ヒドロキシＴｅｍｐｏもしくは４ＨＴ）であり、これらを約１００，１５０，２００，３００，もしくは４００ｐｐｍの量で、ＱＭ及び４ＨＴについて９０：１０［ＱＭ：４ＨＴ（９０：１０）と称する］，８０：２０［ＱＭ：４ＨＴ（８０：２０）と称する］，７０：３０［ＱＭ：４ＨＴ（７０：３０）と称する］，５０：５０［ＱＭ：４ＨＴ（５０：５０）と称する］，３０：７０［ＱＭ：４ＨＴ（３０：７０）と称する］及び２０：８０［ＱＭ：４ＨＴ（２０：８０）と称する］の様々な重量比で使用する。
【００７６】
以下の実施例において、本発明添加剤は、芳香族化合物であるキノンメチド（ＱＭ）とニトロオキシド化合物である１−オキシル−２，２，６，６−テトラメチルピペリジン−４−オール（即ち４−ヒドロキシＴｅｍｐｏもしくは４ＨＴ）とを有し、ＴＩＰＡ，Ｑｕａｄｒｏｌ（登録商標）及びＴＨＥＥＤからなるグループから選択されるアミンをさらに有する組成物である。当該組成物において約１，５，１０，１５，もしくは２０ｐｐｍのＴＩＰＡ，Ｑｕａｄｒｏｌ（登録商標）もしくはＴＨＥＥＤは、ＱＭ及び４ＨＴについての上記重量比９０：１０，８０：２０，７０：３０，５０：５０，３０：７０及び２０：８０で使用された前記ＱＭと４ＨＴとの混合物１００，２００，３００もしくは４００ｐｐｍに添加され、約２ｐｐｍのＴＩＰＡは、ＱＭと４ＨＴとの前記混合物２００ｐｐｍに添加される。
【００７７】
実験：
１２０℃に２時間加熱することにより１０ｇ蒸留スチレンによる上記主実験を行った場合の結果を表Ｉ、表ＩＩ及び表ＩＩＩに示す。
【表１】
0006006331.tif 000002
【表２】
0006006331.tif 000003
【００７８】
５０：５０の重量比でＱＭと４ＨＴとからなる先行技術組成物に関して、及びＴＩＰＡと共に３０：７０の重量比でＱＭと４ＨＴとを有する本添加剤組成物に関して、％形成ポリマーの急増の理由は、現在のところ不明である。しかしながら、表Ｉ及び表ＩＩから分かるように、ＴＩＰＡ１ｐｐｍもしくは２ｐｐｍをそれぞれＱＭと４ＨＴとの混合物１００ｐｐｍもしくは２００ｐｐｍに様々な重量比で添加する場合（先行技術添加剤）、スチレンの重合を阻害する先行技術添加剤の効率は、驚くべきことに且つ意外にも、有意に改善される。
【００７９】
ＴＩＰＡ１ｐｐｍもしくは２ｐｐｍをそれぞれＱＭと４ＨＴとの混合物１００ｐｐｍもしくは２００ｐｐｍに様々な重量比で添加する場合において（先行技術添加剤）、スチレンの重合は、驚くべきことに且つ意外にも、有意に低減されることも表Ｉ及び表ＩＩから観察可能である。
【表３】
0006006331.tif 000004
【００８０】
表ＩＩの結果と表ＩＩＩの結果とを比較する場合、様々な重量比におけるＱＭと４ＨＴとの混合物２００ｐｐｍ中（先行技術添加剤）、ＴＩＰＡ  ２ｐｐｍの添加により、％形成ポリマーは、様々な重量比におけるＱＭと４ＨＴとの混合物４００ｐｐｍからなる先行技術添加剤と同じであるか、より良いということも分かる。このことは、２００ｐｐｍの先行技術添加剤組成物に２ｐｐｍのＴＩＰＡを添加すると、様々な重量比での芳香族化合物とニトロオキシド化合物とからなる先行技術添加剤２００ｐｐｍの実質的な節約になることを、さらに証明している。
【００８１】
以下の実施例において、上記主実験に関し、以下の表ＩＶ乃至Ｘに示すように先行技術添加剤組成物と本添加剤組成物とを様々な重量比で使用する。本発明者は、本組成物の結果を、ＱＭと４ＨＴとの混合物を有する添加剤組成物、及び比較目的の上記アミンｉ）乃至ｉｘ）（即ちＴＢＡ，ＤＢＡ，ＭＥＡ，ＤＥＡ，ＤＰＡ，ＴＥＡ，ＥＤＡ，ＴＥＰＡ）と比較した。その結果は表Ｖ乃至Ｘｎｉある。
【００８２】
表ＩＶにおいて、ＱＭと４ＨＴとの９０：１０，８０：２０，７０：３０，５０：５０，３０：７０及び２０：８０の重量％比で、１００，１５０，２００，３００及び４００ｐｐｍ添加量のＱＭ＋４ＨＴの混合物からなる先行技術添加剤組成物が使用される。
【表４】
0006006331.tif 000005
【００８３】
表Ｖにおいて、ＱＭと４ＨＴとのそれぞれ９０：１０，８０：２０，７０：３０，５０：５０，３０：７０及び２０：８０の重量％比で、１００ｐｐｍ添加量のＱＭ＋４ＨＴの混合物からなる先行技術添加剤組成物、ＱＭと４ＨＴとのそれぞれ９０：１０，８０：２０，７０：３０，５０：５０，３０：７０及び２０：８０の重量％比で、１００ｐｐｍ添加量のＱＭ＋４ＨＴの混合物を有する比較添加剤組成物、及び１０５ｐｐｍ組成物の全添加量となる５ｐｐｍ比較アミンを、ＱＭと４ＨＴとのそれぞれ９０：１０，８０：２０，７０：３０，５０：５０，３０：７０及び２０：８０の重量％比で、ＱＭと４ＨＴとの混合物１００ｐｐｍを有する本添加剤組成物、及び１０５ｐｐｍ組成物の全添加量となるためＴＩＰＡ，Ｑｕａｄｒｏｌ（登録商標）及びＴＨＥＥＤから選択される５ｐｐｍ本アミンと比較する。
【表５】
0006006331.tif 000006
【００８４】
表ＶＩにおいて、組成物１１０ｐｐｍの全添加量とするための比較アミンもしくは本アミン１０ｐｐｍ以外は、上記表Ｖの組成物を使用する。
【表６】
0006006331.tif 000007
【００８５】
表ＶＩＩにおいて、組成物１２０ｐｐｍの全添加量とするための比較アミンもしくは本アミン２０ｐｐｍ以外は、上記表Ｖの組成物を使用する。
【表７】
0006006331.tif 000008
【００８６】
表ＶＩＩＩにおいて、ＱＭと４ＨＴとのそれぞれ９０：１０の重量％比で、２００，３００及び４００ｐｐｍ添加量のＱＭ＋４ＨＴの混合物からなる先行技術添加剤組成物、ＱＭと４ＨＴとのそれぞれ９０：１０の重量％比で、２００，３００及び４００ｐｐｍ添加量のＱＭ＋４ＨＴの混合物を有する比較添加剤組成物、及び２１０，３１５及び４２０ｐｐｍ組成物の全添加量となる１０，１５及び２０ｐｐｍ比較アミンを、ＱＭと４ＨＴとのそれぞれ９０：１０の重量％比で、ＱＭと４ＨＴとの混合物２００，３００及び４００ｐｐｍを有する本添加剤組成物、及び２１０，３１５及び４２０ｐｐｍ組成物の全添加量となるためＴＩＰＡ，Ｑｕａｄｒｏｌ（登録商標）及びＴＨＥＥＤから選択される１０，１５及び２０ｐｐｍ本アミンと比較する。
【表８】
0006006331.tif 000009
【００８７】
表ＩＸにおいてＱＭと４ＨＴとの重量％比８０：２０以外は、上記表ＶＩＩＩの組成物を使用する。
【表９】
0006006331.tif 000010
【００８８】
表Ｘにおいて、組成物１５０，２５０及び３５０ｐｐｍの全添加量とするための比較アミンもしくは本アミン５０ｐｐｍ以外は、上記表ＶＩＩＩの組成物を使用する。
【表１０】
0006006331.tif 000011
【００８９】
上記実験の全ては、ＱＭと４ＨＴとの混合物と、ＴＩＰＡ，Ｑｕａｄｒｏｌ（登録商標）及びＴＨＥＥＤを有するグループから選択される第３アミンとを有する本発明添加剤組成物がもっぱら先行技術添加剤の重合阻害効率の改善をもたらすことを証明する。
【００９０】
上記知見は、本発明組成物が、芳香族とニトロオキシド化合物との混合物からなる先行技術組成物よりも、経済的であり、紺強に優しいことを証明する。
【００９１】
上記知見はまた、本発明組成物の相乗的な、驚くべき且つ意外な効果を証明する。
【００９２】
上の実験結果はまた、現在提供される組成物は先行技術添加剤よりもはるかに優れていること、従って先行技術添加剤を超える技術的利点及び驚くべき効果を有することを立証する。